(57)【要約】【課題】空転式の逆入力防止クラッチにおいて、入力側から出力側への回転伝達をスムーズに開始でき、かつ逆入力トルクに対して出力側部材が確実に空転するようにする。【解決手段】入力側の外輪２と出力軸４との間でころ８を保持する保持器９と、保持器９と係合した状態で外輪２と押え蓋６に挟持されるボール１０と、一端部が外輪２と摺動し他端部がハウジング５の蓋部５ｃに固定される状態で、外輪２を介してボール１０を押え蓋６に押し付けるコイルばね１１とを組み込むことにより、入力トルクが加えられたときには、確実にころ８が外輪２および出力軸４と係合して、回転伝達をスムーズに開始することができ、入力トルクの供給が停止したときには、回転伝達中に周方向にねじれていたコイルばね１１の弾性復元により、外輪２が入力トルクと逆の方向に回転してころ８の係合状態が解除され、逆入力トルクに対して出力軸４が確実に空転するようにした。【選択図】図１
2015152161.tif 000002
【特許請求の範囲】
【請求項１】
入力側部材と出力側部材とを同一軸心のまわりに回転するように配し、前記出力側部材の外周側または内周側に円筒面を形成し、前記入力側部材に出力側部材の円筒面と径方向で対向するカム面を周方向に複数設けて、前記円筒面と各カム面との間に周方向で次第に狭小となる楔形空間を形成し、これらの各楔形空間にころを配するとともに、前記入力側部材と出力側部材との間に、前記各ころを入力側部材および出力側部材と係脱自在に保持する保持器を配し、前記保持器と係合した状態で入力側部材と固定部材に挟持されるボールを組み込んで、
前記入力側部材に入力トルクが加えられたときには、入力側部材の回転にともなって前記ボールが自転しながら公転し、前記ボールに押されて回転する保持器と入力側部材との間で回転位相差が生じ、前記保持器に保持されたころが前記楔形空間の狭小側へ相対移動して入力側部材および出力側部材と係合することにより、入力側部材の回転が出力側部材に伝達され、前記出力側部材に逆入力トルクが加えられたときは、出力側部材が空転して出力側部材の回転が入力側部材に伝達されないようにした逆入力防止クラッチにおいて、
前記入力側部材を前記ボールに押し付ける方向に付勢するコイルばねを、その一端部が前記入力側部材と固定部材のうちのいずれか一方と摺動する状態で組み込み、
前記入力側部材に入力トルクが加えられている間は前記コイルばねが周方向にねじれ、前記入力トルクの供給が停止したときに、前記コイルばねの弾性復元により前記入力側部材が入力トルクと逆の方向に回転し、前記ころが前記楔形空間の広大側へ相対移動して、前記ころと入力側部材および出力側部材との係合状態が解除されるようにしたことを特徴とする逆入力防止クラッチ。
【請求項２】
前記コイルばねの他端部を、前記入力側部材と固定部材のうちでコイルばねの一端部と接触しない方に固定したことを特徴とする請求項１に記載の逆入力防止クラッチ。
【請求項３】
前記コイルばねを、その一端側が大径となり、他端側が小径となる円すい形状としたことを特徴とする請求項２に記載の逆入力防止クラッチ。
【請求項４】
前記入力側部材が、前記入力トルクを受ける入力部と、前記コイルばねで付勢されて前記ボールに押し付けられる押付部とを、一体回転可能かつ軸方向相対移動可能に連結したものであることを特徴とする請求項１乃至３のいずれかに記載の逆入力防止クラッチ。
【発明の詳細な説明】
【技術分野】
【０００１】
本発明は、入力トルクが加えられたときは入力側部材の回転を出力側部材に伝達し、逆入力トルクに対しては入力側部材が回転しないようにする逆入力防止クラッチに関する。
【背景技術】
【０００２】
逆入力防止クラッチは、入力側部材に入力トルクが加えられたときは、その回転を出力側部材に伝達し、出力側部材に逆入力トルクが加えられたときは、入力側部材が回転しないようにするものであり、そのうちには、逆入力トルクに対して出力側部材を空転させる方式（以下、この方式を「空転式」と称する。）のものがある。
【０００３】
そして、このような空転式の逆入力防止クラッチとして、入力側部材と出力側部材とを同一軸心のまわりに回転するように配し、出力側部材の外周側に円筒面を形成し、入力側部材に出力側部材の円筒面と径方向で対向するカム面を周方向に複数設けて、円筒面と各カム面との間に周方向で次第に狭小となる楔形空間を形成し、これらの各楔形空間にころを配するとともに、入力側部材と出力側部材との間に、各ころを入力側部材および出力側部材と係脱自在に保持する保持器を配し、保持器と係合した状態で入力側部材と固定部材に挟持されるボールを組み込んだものがある（例えば、特許文献１参照。）。
【０００４】
上記の構成の逆入力防止クラッチでは、入力側部材に入力トルクが加えられると、入力側部材と固定部材に挟持されたボールが入力側部材の回転にともなって自転しながら公転し、このボールに押されて回転する保持器と入力側部材との間で回転位相差が生じ、保持器に保持されたころが楔形空間の狭小側へ相対移動して入力側部材および出力側部材と係合することにより、入力側部材の回転が出力側部材に伝達される。
【０００５】
一方、出力側部材に逆入力トルクが加えられたときは、通常、ころが入力側部材および出力側部材と係合しないので、出力側部材が空転して出力側部材の回転は入力側部材に伝達されないと考えられる。しかし、入力側から出力側への回転伝達中に入力トルクの供給が停止したときは、ころが入力側部材のカム面および出力側部材の円筒面と接触した状態で停止することになる。このため、停止前の入力トルクと同じ方向に逆入力トルクが加えられた場合は、ころが出力側部材との摩擦力により楔形空間の広大側へ移動して出力側部材が空転するが、逆方向の逆入力トルクが加えられると、出力側部材の回転開始時にころが入力側部材および出力側部材と係合して、出力側部材が空転できず、入力側部材に回転が伝達されてしまうことがある。
【０００６】
そこで、特許文献１で提案されている逆入力防止クラッチでは、上記の構成に加えて、逆入力トルクが加えられたときのころの入力側部材および出力側部材との係合を阻止するために、各ころを出力側部材の円筒面の一端からはみ出させるとともに、固定部材の一部を各ころのはみ出し部に出力側部材の側から径方向で対向させ、この固定部材のころ対向部と各ころのはみ出し部との間に、各ころが入力側部材および出力側部材と係合したときにそのころに押されて弾性変形する弾性部材（Ｏリング）を配して、出力側部材が逆入力トルクを受けて回転するときに、弾性部材がその弾性復元力によりころの楔形空間の狭小側への移動を規制するようにしている。
【先行技術文献】
【特許文献】
【０００７】
【特許文献１】特開２０１０−１０６９５０号公報（図５）
【発明の概要】
【発明が解決しようとする課題】
【０００８】
しかしながら、上記特許文献１の逆入力防止クラッチでは、ころと固定部材との間に配される弾性部材として、適切な弾性のものを選定することが難しいという問題があった。すなわち、比較的弾性変形しやすい材質のものを採用した場合は、その弾性復元力が小さいために、逆入力トルクを加えられたときに、弾性部材がころの楔形空間での移動を十分に規制できず、出力側部材がスムーズに空転できなくなることがあるし、比較的弾性変形しにくい材質のものを採用した場合は、弾性部材がころを入力側部材および出力側部材と係合しにくくするために、入力側から出力側への回転伝達を開始する際に大きな入力トルクが必要になることがある。
【０００９】
そこで、本発明の課題は、空転式の逆入力防止クラッチにおいて、入力側から出力側への回転伝達をスムーズに開始することができ、かつ逆入力トルクが加えられたときに出力側部材が確実に空転するようにすることである。
【課題を解決するための手段】
【００１０】
上記の課題を解決するため、本発明は、入力側部材と出力側部材とを同一軸心のまわりに回転するように配し、前記出力側部材の外周側または内周側に円筒面を形成し、前記入力側部材に出力側部材の円筒面と径方向で対向するカム面を周方向に複数設けて、前記円筒面と各カム面との間に周方向で次第に狭小となる楔形空間を形成し、これらの各楔形空間にころを配するとともに、前記入力側部材と出力側部材との間に、前記各ころを入力側部材および出力側部材と係脱自在に保持する保持器を配し、前記保持器と係合した状態で入力側部材と固定部材に挟持されるボールを組み込んで、前記入力側部材に入力トルクが加えられたときには、入力側部材の回転にともなって前記ボールが自転しながら公転し、前記ボールに押されて回転する保持器と入力側部材との間で回転位相差が生じ、前記保持器に保持されたころが前記楔形空間の狭小側へ相対移動して入力側部材および出力側部材と係合することにより、入力側部材の回転が出力側部材に伝達され、前記出力側部材に逆入力トルクが加えられたときは、出力側部材が空転して出力側部材の回転が入力側部材に伝達されないようにした逆入力防止クラッチにおいて、前記入力側部材を前記ボールに押し付ける方向に付勢するコイルばねを、その一端部が前記入力側部材と固定部材のうちのいずれか一方と摺動する状態で組み込み、前記入力側部材に入力トルクが加えられている間は前記コイルばねが周方向にねじれ、前記入力トルクの供給が停止したときに、前記コイルばねの弾性復元により前記入力側部材が入力トルクと逆の方向に回転し、前記ころが前記楔形空間の広大側へ相対移動して、前記ころと入力側部材および出力側部材との係合状態が解除されるようにした。
【００１１】
上記の構成によれば、入力側部材に入力トルクが加えられたときに、コイルばねで入力側部材を介して固定部材に押し付けられているボールが、確実に入力側部材および固定部材と接触しながら転動して保持器に入力側部材との回転位相差を与えることができ、それによって保持器に保持されたころが楔形空間の狭小側へ相対移動して入力側部材および出力側部材と係合するようになっているので、入力側から出力側への回転伝達をスムーズに開始することができる。
【００１２】
また、入力トルクの供給が停止したときには、入力トルクが加えられている間は周方向にねじれていたコイルばねが弾性復元することにより、入力側部材が入力トルクと逆の方向に回転し、ころと入力側部材および出力側部材との係合状態が解除されるので、その後に停止前の入力トルクと逆方向の逆入力トルクが出力側部材に加えられても、出力側部材を確実に空転させることができる。
【００１３】
上記の構成において、前記コイルばねの他端部を、前記入力側部材と固定部材のうちでコイルばねの一端部と接触しない方に固定すれば、回転伝達中のコイルばねのねじり角が大きくなるので、入力トルクの供給が停止したときに、入力側部材を逆転させるコイルばねの弾性復元力も大きくなり、ころと入力側部材および出力側部材との係合状態をより確実に解除できるようになる。ここで、前記コイルばねを、その一端側（摺動側）が大径となり、他端側（固定側）が小径となる円すい形状とすれば、回転伝達中のコイルばねのねじり角がさらに大きくなり、入力トルク供給停止時の係合状態の解除が一層確実に行えるようになる。
【００１４】
また、前記入力側部材は、前記入力トルクを受ける入力部と、前記コイルばねで付勢されて前記ボールに押し付けられる押付部とを、一体回転可能かつ軸方向相対移動可能に連結したものとすることが望ましい。このようにすれば、入力側部材が入力部の軸方向移動を拘束された状態で組み込まれていても、押付部が入力部に対して相対的に軸方向移動してボールに押し付けられるので、ボールと押付部および固定部材との間の滑りを確実に防止でき、回転伝達開始時の動作を安定させることができる。
【発明の効果】
【００１５】
本発明の逆入力防止クラッチは、上述したように、入力側部材と出力側部材との間でころを保持する保持器と、保持器と係合した状態で入力側部材と固定部材に挟持されるボールと、一端部が入力側部材と固定部材のうちのいずれか一方と摺動する状態で、入力側部材を介してボールを固定部材に押し付けるコイルばねとを組み込んだものであるから、入力トルクが加えられたときには、確実にころが入力側部材および出力側部材と係合して、入力側から出力側への回転伝達をスムーズに開始でき、入力トルクの供給が停止したときには、回転伝達中に周方向にねじれていたコイルばねの弾性復元により、入力側部材が入力トルクと逆の方向に回転してころの係合状態が解除され、停止前の入力トルクと逆方向の逆入力トルクが加えられても、出力側部材を確実に空転させることができる。
【図面の簡単な説明】
【００１６】
【図１】第１実施形態の逆入力防止クラッチの縦断正面図
【図２】図１のII−II線に沿った断面図
【図３】図１のIII−III線に沿った拡大断面図
【図４】ａ、ｂは、それぞれ図１の逆入力防止クラッチの動作の説明図
【図５】第２実施形態の逆入力防止クラッチの縦断正面図
【図６】図５のVI−VI線に沿った断面図
【発明を実施するための形態】
【００１７】
以下、図面に基づき、本発明の実施形態を説明する。図１乃至図４は第１の実施形態を示す。この逆入力防止クラッチは、図１および図２に示すように、入力軸１と外輪２とが一体形成された入力側部材３と、出力側部材としての出力軸４と、円筒部５ａ外周に板状取付部５ｂが一体成形されたハウジング５とその出力側に嵌め込まれる押え蓋６とからなる固定部材７と、外輪２と出力軸４との間に配される複数のころ８と、各ころ８を保持する保持器９と、保持器９と係合した状態で外輪２と押え蓋６に挟持されるボール１０と、外輪２をボール１０に押し付ける方向に付勢するコイルばね１１とで構成されている。その入力軸１はハウジング５の入力側に形成された蓋部５ｃの内周面で回転自在に支持されており、出力軸４は押え蓋６の内周面で回転自在に支持されている。
【００１８】
前記入力側部材３は、入力軸１のハウジング蓋部５ｃからの突出部の外周に伝達歯車Ｇが嵌め込まれており、図示省略したモータからこの伝達歯車Ｇを介して入力トルクを受けるようになっている。ここで、入力軸１と伝達歯車Ｇとの嵌合はキーとキー溝によるものであり、伝達歯車Ｇは軸方向移動を拘束されているが、入力側部材３は軸方向移動可能となっている。また、この入力側部材３の中心に形成された穴の大径部分には出力軸４の先端部が回転自在に嵌め込まれ、入力側部材３と出力軸４とが同一軸心のまわりに回転するようになっている。
【００１９】
また、図３にも示すように、出力軸４の外周円筒面と径方向で対向する外輪２内周面には、互いに逆向きに傾斜するカム面２ｂ、２ｃが周方向に交互に設けられ、出力軸４円筒面とこれらのカム面２ｂ、２ｃとの間に周方向両側で次第に狭小となる楔形空間が複数形成されている。そして、外輪２と出力軸４の間で保持器９に保持されたころ８が楔形空間の中央部にあるときには、ころ８が外輪２および出力軸４から離脱した状態で保持されるようになっている。
【００２０】
前記保持器９は、環状部９ａと、環状部９ａ内側面に立設されて外輪２と出力軸４との間に挿入される柱部９ｂとからなり、各柱部９ｂ間に形成されたポケットにころ８を一つずつ収容するようになっている。その環状部９ａには、柱部９ｂと重ならない位置に円形の切欠き９ｃが複数形成されており、これらの各切欠き９ｃにボール１０が転動自在に嵌め込まれることにより、ボール１０と保持器９とが周方向に係合している。
【００２１】
前記コイルばね１１は、その一端部が外輪２と摺動し、他端部がハウジング５の蓋部５ｃに固定され、中心に入力軸１の大径部を通す状態で組み込まれている。なお、コイルばね１１の向きを逆にして、一端部をハウジング蓋部５ｃと摺動させ、他端部を外輪２に固定するようにしてもよい。また、コイルばね１１の両端部を、それぞれ外輪２およびハウジング蓋部５ｃと摺動させるようにしてもよい。
【００２２】
次に、この逆入力防止クラッチの動作について説明する。図４（ａ）は、入力側部材３に図面上で右回りの入力トルクが加えられたときの状態を示す。入力側部材３が入力トルクを加えられて回転すると、入力側部材３の外輪２と固定部材７の押え蓋６とに挟持されるボール１０が自転しながら公転し、このボール１０に押されて保持器９が回転する。このとき、保持器９と外輪２との間では回転位相差が生じる（保持器９の回転速度が外輪２よりも遅い）ため、保持器９に保持されたころ８が楔形空間の狭小側へ相対移動して外輪２および出力軸４と係合する。これにより、入力側部材３の回転がころ８を介して出力軸４に伝達される。左回りの入力トルクが加えられたときも、同様にして入力側から出力側への回転伝達が行われる。
【００２３】
ここで、入力側部材３は全体が軸方向移動可能となっているので、その外輪２はコイルばね１１によってボール１０に押し付けられ、ボール１０が押え蓋６に押し付けられている。このため、ボール１０は確実に外輪２および押え蓋６と接触しながら転動して保持器９に外輪２との回転位相差を与え、ころ８を外輪２および出力軸４と係合させることができる。これにより、入力側から出力側への回転伝達がスムーズに開始されるようになっている。
【００２４】
上記のように入力側から出力側へ回転が伝達されている間、他端部がハウジング５の蓋部５ｃに固定されたコイルばね１１は、その一端部と外輪２との摩擦により周方向にねじれた状態となる。そして、入力トルクの供給が停止されたときには、入力トルクが加えられている間（回転伝達中）に周方向にねじれていたコイルばね１１が弾性復元することにより、図４（ｂ）に示すように、入力側部材３が入力トルクと逆の方向に回転する。このとき、外輪２の回転にともなうボール１０の公転により保持器９もわずかに逆回転するが、保持器９と外輪２との回転位相差により、保持器９に保持されたころ８が楔形空間の広大側へ相対移動して、ころ８と外輪２および出力軸４との係合状態が解除される（図３に示した状態に戻る）。
【００２５】
したがって、その後に出力軸４に逆入力トルクが加えられたときには、その方向が停止前の入力トルクと逆方向であっても、出力軸４が確実に空転して、入力側部材３には回転が伝達されない。同様に、逆入力トルクの方向が停止前の入力トルクと同じ場合も、入力側には回転が伝達されない。
【００２６】
図５および図６は第２の実施形態を示す。この実施形態では、第１実施形態と異なり、入力軸１がカップリングＣによりモータＭの主軸と結合され、軸方向移動を拘束されている。そこで、入力側部材３の入力軸１と外輪２とを別体に形成し、入力軸１の内端に形成した複数の切欠き１ａと、これに対応するように外輪２内周側に形成した複数の突部２ａの位置を合わせて、入力軸１を外輪２に嵌め込んでいる。すなわち、入力側部材３は、入力トルクを受ける入力軸１（入力部）と、コイルばね１２で付勢されてボール１０に押し付けられる外輪２（押付部）とを、一体回転可能かつ軸方向相対移動可能に連結したものとなっている。
【００２７】
これにより、入力軸１が軸方向移動を拘束された状態で組み込まれていても、外輪２がコイルばね１２によって入力軸１に対して相対的に軸方向移動してボール１０に押し付けられるので、第１実施形態と同様、ボール１０と外輪２および押え蓋６との間の滑りを確実に防止でき、回転伝達開始時の動作を安定させることができる。
【００２８】
また、この第２実施形態では、第１実施形態のコイルばね１１を円すい形状のコイルばね１２に代え、その大径側端部（一端部）をハウジング５の蓋部５ｃと摺動させ、小径側端部（他端部）を外輪２に固定している。これにより、第１実施形態に比べて、コイルばね１２の回転伝達中のねじり角が大きくなるので、入力トルクの供給が停止したときに、入力側部材３を逆転させるコイルばね１２の弾性復元力も大きくなり、ころ８と外輪２および出力軸４との係合状態をより確実に解除することができる。
【符号の説明】
【００２９】
１  入力軸
２  外輪
２ｂ、２ｃ  カム面
３  入力側部材
４  出力軸（出力側部材）
５  ハウジング
６  押え蓋
７  固定部材
８  ころ
９  保持器
１０  ボール
１１、１２  コイルばね
【図１】
2015152161.tif 000003
【図２】
2015152161.tif 000004
【図３】
2015152161.tif 000005
【図４】
2015152161.tif 000006
【図５】
2015152161.tif 000007
【図６】
2015152161.tif 000008